(57)【要約】【課題】ゾーンに向けて吹き出すクリーンエアの到達距離をのばし、ゾーンをより良好に浄化することができるゾーン浄化方法および装置を提供する。【解決手段】浄化領域とするゾーンＺに対して整流したクリーンエアをその上側から吹き付けるゾーン浄化方法であって、ゾーンＺに対して吹き付けるクリーンエアの温度が前記ゾーンＺの周囲の温度よりも低くなるように調整する。【選択図】      図１
2004347213.tif 000002
【特許請求の範囲】
【請求項１】
浄化領域とするゾーンに対して整流したクリーンエアをその上側から吹き付けるゾーン浄化方法であって、ゾーンに対して吹き付けるクリーンエアの温度が前記ゾーンの周囲の温度よりも低くなるように調整することを特徴とするゾーン浄化方法。
【請求項２】
区画室の或る限られたゾーンをクリーンエアによる浄化対象とし、クリーンエアを形成するために内部に導入された導入空気に含まれる粉塵を除去する粉塵除去手段と、小径で且つ互いに平行な直線状の流路を密に配置してなる整流手段を有し、下向きに吹き出す前記クリーンエアの吹き出し範囲が前記ゾーンをカバーするに足る大きさとなったエア吹き出し部とを備えたゾーン浄化装置であって、前記導入空気を冷却する冷却手段を備えたことを特徴とするゾーン浄化装置。
【請求項３】
前記ゾーンの周囲の温度を検出する温度検出手段を備え、前記クリーンエアの温度が前記温度検出手段により検出した前記ゾーンの周囲の温度よりも低くなるように、前記温度検出手段の検出結果に基づいて前記冷却手段を自動制御するように構成した請求項２に記載のゾーン浄化装置。
【請求項４】
前記ゾーンの周囲の空間と連続する領域内の空気を前記導入空気として用いるように構成した請求項２または３に記載のゾーン浄化装置。
【発明の詳細な説明】
【０００１】
【発明の属する技術分野】
本発明は、例えば、手術室や半導体などの精密部品の製作室などの区画室の或る限られたゾーンをクリーンエアによって浄化するためのゾーン浄化方法および装置に関する。
【０００２】
【従来の技術】
【特許文献１】特許第２８７３５５２号公報
手術室の無菌化は、高度の手術などにおいては欠かすことのできない課題である。このため、エア浄化フィルタにエアを通して、単独ではエア中に存在せずに塵埃に付着している細菌を塵埃と共に排除し、そのクリーンエアを手術室に供給して、室内を無菌化させる手段がとられている。このような室内の浄化は、手術室に限られたものではなく、無菌化はともかくとして、半導体などの精密部品の製作室などであっても、塵埃を排除したクリーンエアによって室内を浄化させる手段がとられている。
【０００３】
ところで、上記のクリーンエアによる清浄化が要求されるのは、例えば手術室では手術台まわりの限られた執刀空間であり、精密部品の製作室では精密部品の製作空間である。これにも拘わらず、室内全体を清浄化することは、浄化装置のイニシャルコストならびにランニングコストの大幅なアップを伴うもので、非常に無駄であり、このことから、区画室内の或る限られたゾーン（手術台まわりや精密部品の製作空間など）を浄化対象にして、クリーンエアによる室内気流を形成し、この特定されたゾーンを高い清浄度に保つように構成されたゾーン浄化装置が開発され、実用化されるに至っている。
【０００４】
そして、従来のゾーン浄化装置として、上記特許文献１に示すものがある。このゾーン浄化装置は、区画室の或る限られたゾーンをクリーンエアによる浄化対象とするもので、前記ゾーンの上部に、エア吹き出し範囲が上記ゾーンをカバーするに足る大きさの下向きのエア吹き出し口を設けると共に、前記エア吹き出し口に、小径で且つ互いに平行な直線状の流路を密に具備したエア吹き出し手段を設けて成る。
【０００５】
上記の構成からなるゾーン浄化装置では、前記エア吹き出し手段からのクリーンエアの吹き出し流速がアップすると共に、クリーンエアの極端な流速の低下も効果的に抑止され、この結果、ゾーン内への室内エアの巻き込みに起因する粉塵濃度も大幅にダウンさせることができ、無駄のないゾーン浄化が達成される。
【０００６】
【発明が解決しようとする課題】
しかし、上記特許文献１に示すゾーン浄化装置でも、前記エア吹き出し口から吹き出したクリーンエアがゾーンの下部にまで届かないことがあった。そこで、本出願人は、その原因について鋭意追求し、実験を行った結果、クリーンエアの温度と区画室内の空気の温度との関係がクリーンエアの流速に影響を与えることを確信するに至った。
【０００７】
この発明は、上述の事柄に留意してなされたもので、その目的は、ゾーンに向けて吹き出すクリーンエアの到達距離をのばし、ゾーンをより良好に浄化することができるゾーン浄化方法および装置を提供することである。
【０００８】
【課題を解決するための手段】
上記目的を達成するために、本発明のゾーン浄化方法は、浄化領域とするゾーンに対して整流したクリーンエアをその上側から吹き付けるゾーン浄化方法であって、ゾーンに対して吹き付けるクリーンエアの温度が前記ゾーンの周囲の温度よりも低くなるように調整する（請求項１）。
【０００９】
一方、本発明のゾーン浄化装置は、区画室の或る限られたゾーンをクリーンエアによる浄化対象とし、クリーンエアを形成するために内部に導入された導入空気に含まれる粉塵を除去する粉塵除去手段と、小径で且つ互いに平行な直線状の流路を密に配置してなる整流手段を有し、下向きに吹き出す前記クリーンエアの吹き出し範囲が前記ゾーンをカバーするに足る大きさとなったエア吹き出し部とを備えたゾーン浄化装置であって、前記導入空気を冷却する冷却手段を備えた（請求項２）。
【００１０】
また、前記ゾーンの周囲の温度を検出する温度検出手段を備え、前記クリーンエアの温度が前記温度検出手段により検出した前記ゾーンの周囲の温度よりも低くなるように、前記温度検出手段の検出結果に基づいて前記冷却手段を自動制御するように構成したとしてもよい（請求項３）。
【００１１】
上記の構成からなる本発明によれば、ゾーンに向けて吹き出すクリーンエアの到達距離をのばし、ゾーンをより良好に浄化することができるゾーン浄化方法および装置を提供することが可能となる。
【００１２】
すなわち、ゾーンに対して吹き出すクリーンエアを整流してその直進性を高めても、前記クリーンエアの温度がゾーンの周囲の温度と同程度かそれよりも若干高い場合には、ゾーンに対して吹き出されたクリーンエアが拡散し、やがて停止したり上昇して上昇気流を形成したりするため、ゾーン内にて行われる治療・手術や精密部品の製作作業を妨げないようにその流速が制限されるクリーンエアをゾーンの下部にまで到達させることは困難となるおそれがあるが、前記クリーンエアの温度がゾーンの周囲の温度よりも低くなるように構成した本発明のゾーン浄化方法および装置では、ゾーンに対して吹き出されたクリーンエアがゾーンの周囲よりも温度が低い冷気となり、下降気流となってゾーン内を下降し続けるため、ゾーン内の清浄度を高く保てる。
【００１３】
さらに、前記ゾーンの周囲の空間と連続する領域内の空気を前記導入空気として用いるように構成したとしてもよい（請求項４）。クリーンエアを形成するための空気を区画室の外部から導入するタイプのゾーン浄化装置では、ゾーン浄化装置を設置するに際して、その設置のための作業の他に、区画室の外部から空気を導入するための流路などを形成するための作業が必要となり、施工コストが高くなるが、上記のように構成した場合には、ゾーンの周囲に存在する空気をクリーンエアを形成するために用いることができることから、区画室の外部から空気を導入するための流路などを形成するための作業が不要となり、その分だけ低コストで設置することができ、また、例えば既設の建築物などにも後付けで容易に設置することが可能となる。
【００１４】
【発明の実施の形態】
以下、この発明の実施の形態を図面に基づいて説明する。
図１（Ａ）、（Ｂ）および（Ｃ）は、本発明の一実施例に係るゾーン浄化方法に用いるゾーン浄化装置Ｄの構成を概略的に示す説明図、底面図および側面図である。
ゾーン浄化装置Ｄは、手術室や精密部品（例えば半導体）の製作室などの区画室内の或る限られたゾーンＺ（図３（Ａ）参照）をクリーンエアによる浄化対象とし、そのゾーンＺの無塵化・無菌化を図るためのものである。
【００１５】
前記ゾーンＺは、例えば、手術室では手術台まわりの限られた空間であり、精密部品の製作室では精密部品の製作空間である。
【００１６】
そして、前記ゾーン浄化装置Ｄは、前記区画室の天井裏における前記ゾーンＺの上方に相当する部分に配置されるとともに、その底部が天井の下面側に露出する状態で設置される本体ケース１を有し、ゾーン浄化装置Ｄの各部材はこの本体ケース１の適宜の箇所に収容されるかまたは取り付けられる。
【００１７】
詳しくは、前記ゾーン浄化装置Ｄは、区画室内の空気を吸い込む吸い込み部２と、この吸い込み部２からクリーンエアを形成するために内部に導入される導入空気中の粉塵を除去する粉塵除去手段３と、小径で且つ互いに平行な直線状の複数の流路４を密に配置してなる整流手段５を有し、下向きに吹き出す前記クリーンエアの吹き出し範囲が前記ゾーンＺをカバーするに足る大きさとなったエア吹き出し部６と、前記導入空気を冷却する冷却手段７と、前記区画室内の空気を前記吸い込み部２から吸い込んだ後、前記エア吹き出し部６へと送るための送風手段８と、前記ゾーンＺの周囲の温度および前記吹き出し部６から吹き出される直前のクリーンエアの温度を検出する温度検出手段９とを備える。
【００１８】
前記吸い込み部２およびエア吹き出し部６（詳細は後述する）は、前記本体ケース１の底部においてその長手方向に適宜の間隔をあけて設けられており、前記吸い込み部２は、複数の長孔２ａを有している。
【００１９】
前記粉塵除去手段３は、前記吸い込み部２の上方に配置される１次フィルタ（プレフィルタ）３ａと、前記エア吹き出し部６の上方に配置される２次フィルタ（例えば、ＨＥＰＡフィルタ）３ｂとからなり、前記１次フィルタ３ａにより前記導入空気から粒子径が比較的大きい粉塵を除去し、前記２次フィルタ３ｂにより前記導入空気から前記１次フィルタ３ａでは除去できなかった粒子径が比較的小さい粉塵を除去するように構成されており、上記２枚のフィルタ３ａ，３ｂを通過し、エア吹き出し部６からゾーンＺに向けて吹き出されるクリーンエア中には、粒子径が所定以上（例えば、０．５μｍ以上）の大きさの粉塵は存在しない。
【００２０】
前記エア吹き出し部６の形状およびサイズは、前記ゾーンＺの構成（幅や奥行きなど）に対応させて設定すればよく、本実施例のエア吹き出し部６の平面視は約６００ｍｍ×６００ｍｍの矩形状となっている。
【００２１】
また、前記エア吹き出し部６に設けられる整流手段５は、図２に示すように、横断面がほぼ正六角形状の筒状体が並んだハニカム構造をしており、本実施例では、前記整流手段５として、ハニカムコア（例えば、昭和飛行機工業株式会社製の型式ＡＬ１／８−５０５２−．００１である箔厚が０．０２５４ｍｍで、セルサイズが３．２ｍｍ、エレメント厚さが５０ｍｍのもの）を採用している。しかし、前記整流手段５の構成は上記のものに限られず、例えば、帯状の薄板を狭い間隔で格子状に組み合わせたものや、小径のパイプ（例えばプラスチック製のパイプ）を密に集合密着させたものなどであってもよい。
【００２２】
前記冷却手段７としては、例えば、ヒートポンプの原理によって冷却を行う公知の冷却ユニットなどを用いることができ、前記送風手段８により送られてきた導入空気を適宜に冷却するように構成されている。
【００２３】
前記送風手段８は、例えば、シロッコファンなどのファンからなり、前記吸い込み部２の上方に配置される１次フィルタ（プレフィルタ）３ａのさらに上方に配置されている。
【００２４】
前記温度検出手段９は、前記ゾーンＺの周囲の温度を検出するための周囲温度検出部９ａと、前記吹き出し部６から吹き出される直前のクリーンエアの温度を検出するためのエア温度検出部９ｂとを有する。各温度検出部９ａ，９ｂは例えば温度センサからなり、周囲温度検出部９ａは前記１次フィルタ３ａの近傍に配置され、エア温度検出部９ｂは前記整流手段５の内部に挿入された状態で配置される。そして、各検出部９ａ，９ｂからの検出した温度に対応する出力は、図示しない制御部に送られ、前記出力に応じた信号が前記制御部から前記冷却手段７に送られ、冷却手段７が制御される。
【００２５】
上記の構成からなるゾーン浄化装置Ｄでは、前記エア温度検出部９ｂにより検出したクリーンエアの温度が、前記周囲温度検出部９ａにより検出した前記ゾーンの周囲の温度よりも所定の値だけ（例えば２℃以上、好ましくは約２〜３℃）低くなるように、前記温度検出手段９（温度検出部９ａ，９ｂ）の検出結果に基づいて前記冷却手段７を自動制御するように構成してある。
【００２６】
次に、上記の構成からなるゾーン浄化装置Ｄの作動について説明する。
前記ゾーン浄化装置Ｄは、前記ゾーンＺの周囲の空間と連続する領域内（区画室内）の空気を前記クリーンエアを形成するための導入空気として用いるように構成された循環タイプのものである。そのため、まず、前記冷却手段７および送風手段８を駆動状態にすると、区画室内の空気が前記吸い込み部２から装置の内部に導入される。そして、この導入空気は、前記１次フィルタ３ａ、送風手段８、冷却手段７、２次フィルタ３ｂをこの順に通過した後、整流手段５の密なる小径の流路４を通り、エア吹き出し部６からその真下にある前記ゾーンＺに向けて吹き出される。
【００２７】
ここで、前記ゾーン浄化装置Ｄでは、前記導入空気が前記整流手段５を通過する間に、その流れが整流化され、これに加えて乱れ成分も取り除かれることで、整流手段５を通過したクリーンエアは層流となり、ゾーンＺに向けて真下に吹き出されることになる。
【００２８】
従って、クリーンエアによる浄化領域とするゾーンＺに対して整流したクリーンエアをその上側から吹き付けることにより、前記ゾーンＺにクリーンエアによる下向きの気流が形成されるのであり、前記ゾーンＺの範囲を限定してあることから、ゾーン浄化装置Ｄのイニシャルコストならびにランニングコストを低く抑えつつ、ゾーンＺのエア清浄度を高く保つことができる。
【００２９】
さらに、本実施例のゾーン浄化装置Ｄでは、前記導入空気を冷却手段７により冷却し、エア吹き出し部６から吹き出されるクリーンエアの温度がゾーンＺの周囲の温度よりも所定の値（例えば、２〜３℃）だけ低くなるように調整することから、ゾーンＺに向けて吹き出すクリーンエアの到達距離がのび、ゾーンＺをより良好に浄化することができる。
【００３０】
このことを確認するために、図３（Ａ）および（Ｂ）に示すように、床面からの高さが１９６０ｍｍとなる位置に前記エア吹き出し部６の下面が位置するように前記ゾーン浄化装置Ｄを配置し、前記エア吹き出し部６から吹き出し風量が１２ｍ３  ／ｍｉｎとなるように前記整流手段５を通して整流した状態のクリーンエアを吹き出し、このクリーンエアの温度とゾーンＺの周囲温度との温度差を−３℃から＋１℃まで１℃ずつ変えて、クリーンエアの流速（風速）および前記ゾーンＺへの室内エアの巻き込みによる粉塵濃度（清浄度）を測定するという実験を行い、前記温度差が前記風速および清浄度に及ぼす影響について調べた。ここで、前記温度差という用語は、クリーンエアの温度とゾーンＺの周囲温度との温度差を、ゾーンＺの周囲温度を基準として示す用語として用いており、例えば、温度差−３℃は、クリーンエアの温度がゾーンＺの周囲温度よりも３℃低いことを示す。
【００３１】
上記実験を具体的に説明すると、まず、前記区画室としては十分に広いスペースを設定し、ゾーン浄化装置Ｄが吹き出す冷却されたクリーンエアが区画室内の温度に与える影響を少なくするようにした。また、前記冷却手段７に相当するユニットとしては、試験用吸入空気温調装置を使用した。
【００３２】
一方、前記ゾーンＺとその外側の領域との境界部分では、クリーンエアと室内エアとの攪拌が生じることから、前記ゾーンＺよりもさらに１００ｍｍだけゾーンＺの中央側に入った領域を真の浄化が行えるクリーンゾーンＣＺとした。そして、このクリーンゾーンＣＺに対して５本の鉛直ラインＹ１〜５を水平方向に１００ｍｍピッチで設定した。なお、これら５本の鉛直ラインＹ１〜５の中心に位置する鉛直ラインＹ３は、前記クリーンゾーンＣＺの中心を上下に通るラインとなる。また、前記５つの鉛直ラインＹ１〜５を含む面に対して鉛直方向に１００ｍｍピッチで１９本の水平ラインＸ１〜９、ａ〜ｊ（以下、Ｘ１〜ｊという）を設定した。なお、最も上側にくる水平ラインＸ１は前記エア吹き出し部６から６０ｍｍだけ下方に位置するように設定してある。そして、前記５本の鉛直ラインＹ１〜５と１９本の水平ラインＸ１〜ｊとの計９０点の交点を、クリーンエアの流速（風速）および清浄度を測定するための風速・清浄度測定ポイントとした。
【００３３】
さらに、前記エア吹き出し部６の下面の中心（鉛直ラインＹ５とエア吹き出し部６の下面との交点）を、吹き出されるクリーンエアの温度を測定するための吹出温度測定ポイントとし、前記ゾーンＺから適宜の距離だけ離れ、かつ床面からの高さが１０００ｍｍとなる１点を、バックグラウンドとなるゾーンＺの周囲の清浄度（ＢＧ）および温度を測定するためのＢＧ・周囲温度測定ポイントとした。なお、風速の測定には、熱線式風速計（例えば、日本カノマックス株式会社製のモデル２４−６１２１）を用い、清浄度の測定には、パーティクルサイズ０．５μｍの粉塵計測を可能とするパーティクルカウンタを用いた。
【００３４】
上記実験の結果を表１〜表１５に示す。詳しくは、表１〜３には前記温度差を−３℃に設定したときの実験結果が示されており、表１には前記吹出温度測定ポイントで測定したクリーンエアの温度とＢＧ・周囲温度測定ポイントで測定した周囲温度とから導出した実際の温度差が、表２には前記風速・清浄度測定ポイントで測定した風速が、また、表３には前記風速・清浄度測定ポイントで測定した清浄度および前記ＢＧ・周囲温度測定ポイントで測定したＢＧがそれぞれ示されている。同様に、表４〜６には前記温度差を−２℃に設定したときの実験結果が、表７〜９には前記温度差を−１℃に設定したときの実験結果が、表１０〜１２には前記温度差を±０℃に設定したときの実験結果が、表１３〜１５には前記温度差を＋１℃に設定したときの実験結果がそれぞれ示されている。なお、表３、６、９、１２、１５における清浄度は、各辺１フィートの立方空間内に存在する粒子径０．５μｍ以上のパーティクルの数を示しており、単位として個／ＣＦ（Ｃｕｂｉｃ  Ｆｅｅｔ）を用いている（米国連邦規格２０９Ｅによる）。
【００３５】
【表１】
2004347213.tif 000003
【表２】
2004347213.tif 000004
【表３】
2004347213.tif 000005
【００３６】
【表４】
2004347213.tif 000006
【表５】
2004347213.tif 000007
【表６】
2004347213.tif 000008
【００３７】
【表７】
2004347213.tif 000009
【表８】
2004347213.tif 000010
【表９】
2004347213.tif 000011
【００３８】
【表１０】
2004347213.tif 000012
【表１１】
2004347213.tif 000013
【表１２】
2004347213.tif 000014
【００３９】
【表１３】
2004347213.tif 000015
【表１４】
2004347213.tif 000016
【表１５】
2004347213.tif 000017
【００４０】
上記表１〜１５に示す実験結果から、前記温度差を−２℃または−３℃に設定したときには、測定ポイント下限（水平ラインＸｊ）までクリーンエアが届いており、ゾーンＺ内における清浄度が高いといえる。ゾーンＺの周囲の室内エアを巻き込んでいるため清浄度は０ではないが、ＢＧと比較すると非常に小さい値であるため清浄であると判断できる。
【００４１】
これに対し、前記温度差を＋１℃または±０℃に設定したときには、ゾーンＺに対してその上側から吹き出されたクリーンエアが、ゾーンＺの上下方向における中間位置付近にまでしか届かず、言い換えれば、クリーンエアの到達距離が温度差を−２℃または−３℃に設定したときの半分程度にまで短くなり、清浄度もゾーンＺの下半分（特に風速が０より大きくなっている範囲以外のポイント）ではＢＧとほぼ同じ程度となっており、ゾーンＺの浄化が不十分であると判断される。
【００４２】
なお、前記温度差を−１℃に設定したときには、表８に示される結果から、ゾーンＺの下部において風速が０となっているものの、表９に示される結果から、風速が０となっている部分の清浄度も十分高いことがわかる。従って、温度差を−１℃に設定したときにも、ゾーンＺ全体の清浄度をある程度高く保つことができる。
【００４３】
すなわち、ゾーンＺに対して吹き出すクリーンエアを整流してその直進性を高めても、前記温度差を±０℃または＋１℃に設定したときには、ゾーンＺに対して吹き出されたクリーンエアが拡散し、やがて停止したり上昇して上昇気流を形成したりするため、ゾーンＺ内にて行われる治療・手術や精密部品の製作作業を妨げないようにその流速が制限されるクリーンエアをゾーンＺの下部にまで到達させることは困難となるおそれがあるが、前記温度差を−３℃、−２℃または−１℃に設定したときには、ゾーンＺに対して吹き出されたクリーンエアがゾーンＺの周囲よりも温度が低い冷気となるため、下降気流となってゾーンＺ内を下降し続け、これにより、ゾーンＺ内の清浄度が高く保たれることとなる。
【００４４】
よって、実用面から考えると、前記温度差を±０℃または＋１℃に設定したときには、クリーンエアの到達距離が非常に短くなり、また、温度差を−１℃に設定したときにも、クリーンエアの十分な到達距離が得られないことから、前記温度差を−２℃以下に設定する（クリーンエアの温度がゾーンＺの周囲温度よりも２℃以上低くなるように設定する）ことが適しているといえる。
【００４５】
なお、本実施例において、前記粉塵除去手段３は、１次フィルタ３ａおよび２次フィルタ３ｂの２枚のフィルタからなるものに限られず、例えば、１次フィルタ３ａおよび２次フィルタ３ｂのいずれか一方のみを有していてもよく、３枚以上のフィルタを有していてもよい。
【００４６】
また、本実施例において、前記温度検出手段９は、周囲温度検出部９ａおよびエア温度検出部９ｂの２つの温度検出部を有するものに限られず、例えば、周囲温度検出部９ａのみを有していてもよい。また、この周囲温度検出部９ａの設置位置は、前記１次フィルタ３ａの近傍に限られず、例えば、前記本体ケース１から離れた区画室内における前記ゾーンＺの外側の適宜の位置であってもよい。
【００４７】
さらに、前記冷却手段７により導入空気から奪った熱を、前記ゾーンＺの周囲において適宜に放出し、冷却したクリーンエアの放出による区画室内の温度の低下を緩和するようにしてもよい。
【００４８】
【発明の効果】
上記の構成によれば、ゾーンに向けて吹き出すクリーンエアの到達距離をのばし、ゾーンをより良好に浄化することができるゾーン浄化方法および装置を提供することが可能となる。
【００４９】
すなわち、ゾーンに対して吹き出すクリーンエアを整流してその直進性を高めても、前記クリーンエアの温度がゾーンの周囲の温度と同程度かそれよりも若干高い場合には、ゾーンに対して吹き出されたクリーンエアが拡散し、やがて停止したり上昇して上昇気流を形成したりするため、ゾーン内にて行われる治療・手術や精密部品の製作作業を妨げないようにその流速が制限されるクリーンエアをゾーンの下部にまで到達させることは困難となるおそれがあるが、前記クリーンエアの温度がゾーンの周囲の温度よりも低くなるように構成したこの発明のゾーン浄化方法および装置では、ゾーンに対して吹き出されたクリーンエアがゾーンの周囲よりも温度が低い冷気となり、下降気流となってゾーン内を下降し続けるため、ゾーン内の清浄度を高く保てる。
【図面の簡単な説明】
【図１】（Ａ）、（Ｂ）および（Ｃ）は、本発明の一実施例に係るゾーン浄化方法に用いるゾーン浄化装置の構成を概略的に示す説明図、底面図および側面図である。
【図２】上記実施例における整流手段の構成を概略的に示す斜視図である。
【図３】（Ａ）および（Ｂ）は、クリーンエアの温度とゾーンの周囲温度との差がクリーンエアの到達距離およびゾーンの清浄度に及ぼす影響を調べるための実験に用いた装置の構成とその実験における各測定ポイントとを概略的に示す側面図および正面図である。
【符号の説明】
Ｄ…ゾーン浄化装置、Ｚ…ゾーン。
【図１】
2004347213.tif 000018
【図２】
2004347213.tif 000019
【図３】
2004347213.tif 000020